(57)【要約】【課題】使用者にとってより使い勝手がよく、且つ、製造コストの上昇を抑えることができるセンサおよび測定装置を提供する。【解決手段】センサ２０は、上部基板２６および下部基板２７を含む基板２１と、下部基板２７に設けられた電極２２とを備え、上部基板２６、下部基板２７および電極２２は、光透過性の部材により形成されていることにより、使用者にとってより使い勝手がよく、且つ、製造コストの上昇を抑えることができる。【選択図】図２
2015212685.tif 000002
【特許請求の範囲】
【請求項１】
使用者の生体情報の測定に用いられるセンサであって、
上部基板および下部基板を含む基板と、
前記下部基板に設けられた電極とを備え、
前記上部基板、前記下部基板および前記電極は、光透過性の部材により形成されている、センサ。
【請求項２】
前記基板は、前記基板に入射した光を透過させる透過部と、前記基板に入射した光を遮光する遮光部とのうち少なくともいずれかを用いて形成されるパターンによって、前記センサの識別情報を示す、請求項１に記載のセンサ。
【請求項３】
前記電極が、前記基板の一方の面に形成された第１の電極と、前記基板の他方の面に形成された第２の電極とを備え、
前記第１の電極と前記第２の電極とは、前記基板を貫通する貫通孔を介して電気的に接続されている、請求項１または請求項２に記載のセンサ。
【請求項４】
前記基板は、前記基板に入射した光を反射させる反射部を更に備える、請求項１に記載のセンサ。
【請求項５】
前記基板の淵の少なくとも一部が着色されている、請求項１から請求項４のいずれか１項に記載のセンサ。
【請求項６】
基板に含まれる上部基板および下部基板と、前記下部基板に設けられた電極とが光透過性の部材により形成されたセンサを用いて、使用者の生体情報の測定を行う測定装置であって、
前記センサを挿入するための挿入口が設けられた本体と、
前記本体の内部に設けられ、且つ、前記センサを照明する第１の光源と、
を備える、測定装置。
【請求項７】
前記センサの前記基板上において、前記基板に入射した光を透過させる透過部と、前記基板に入射した光を遮光する遮光部とのうち少なくともいずれかを用いて形成されるパターンによって示される、識別情報を読み取るための、識別情報読取部を更に備え、
前記識別情報読取部は、前記パターンに光を照射する第２の光源と、前記パターンを透過した光を受光する受光部と、前記受光部で受光した光に基づいて前記識別情報を判別する判別部とを含む、請求項６に記載の測定装置。
【請求項８】
前記第１の光源は、前記測定装置の測定結果に応じて、照射態様を変えて光を照射する、請求項６または請求項７に記載の測定装置。
【発明の詳細な説明】
【技術分野】
【０００１】
本発明は、センサおよび測定装置に関し、詳細には、試薬を用いて使用者の生体情報を測定するためのセンサおよび測定装置に関する。
【背景技術】
【０００２】
近年、医療を対象とした分析の分野では、取り扱い性の点から、試料がセンサに供給される使い捨てタイプの分析装置の利用が増加している。例えば、携帯型の小型の血糖値計では、試料となる血液は、短冊状のセンサに形成されたキャピラリー内に吸引され、センサ内に予め設けられた試薬と反応する。さらに、血液中のグルコースと反応した試薬成分を電気化学測定することによって電流の値を測定し、測定した電流値を検量線に当てはめて血糖値を算出する。また、血糖値計は、算出した血糖値を画面等に表示する。
【０００３】
このようなセンサの利用の増加に伴い、使用者側から、センサの使い勝手の向上が求められるようになっている。例えば、薄暗い場所でのセンサへの試料の供給を容易にするため、特許文献１は、センサの試料が供給される部分を照明する光源を備えた測定装置を開示している。
【０００４】
また、例えば、特許文献２は、血液中のグルコース濃度をディスプレイに表示させると同時に、ディスプレイのバックライトからグルコース濃度に対応した色の光を照射させる測定装置（血糖値計）を開示している。特許文献２に開示された測定装置によれば、使用者は血糖値が正常かどうかをすぐに知ることができるため、使い勝手が大きく向上すると考えられる。
【先行技術文献】
【特許文献】
【０００５】
【特許文献１】特許第４０８５１３７号公報
【特許文献２】特開２０１２−１８０１０号公報
【発明の概要】
【発明が解決しようとする課題】
【０００６】
ところで、測定装置が血糖値計である場合は、使用者は主に糖尿病患者であり、視力が弱いことが多いことから、特許文献１に開示されている測定装置では、使い勝手の向上は不十分となる。
【０００７】
一方、特許文献２に開示されている測定装置によれば、使い勝手は大きく向上するが、ディスプレイのバックライトとして、複数の色を照射可能なバックライトを用いることが必要となる。このため、特許文献２に開示されている測定装置には、製造コストが高いという問題がある。
【０００８】
この発明は、上述の課題を解決するためになされたもので、その目的は、使用者にとってより使い勝手がよく、且つ、製造コストの上昇を抑えることができるセンサおよび測定装置を提供することである。
【課題を解決するための手段】
【０００９】
本発明におけるセンサは、使用者の生体情報の測定に用いられるセンサであって、上部基板および下部基板を含む基板と、前記下部基板に設けられた電極とを備え、前記上部基板、前記下部基板および前記電極は、光透過性の部材により形成されている。
【００１０】
このように構成されたセンサによれば、センサ自体を照明することによって光らせることができるため、例えば、その際、測定結果等に応じて光の照射態様を変えることで、測定結果等をセンサの発光により直感的にわかりやすくすることができる。また、使用者は試料をセンサに供給するためにセンサに着目していることが多いため、センサ自体を光らせることにより測定結果等を通知することは、使用者にとってより使い勝手がよい。更に、複数の色を照射可能なディスプレイ等を設ける必要がないため、製造コストの上昇を抑えることができる。
【００１１】
また、本発明におけるセンサにおいて、前記基板は、前記基板に入射した光を透過させる透過部と、前記基板に入射した光を遮光する遮光部とのうち少なくともいずれかを用いて形成されるパターンによって、前記センサの識別情報を示してもよい。
【００１２】
このように構成されたセンサによれば、例えば、センサの配線と同じ製造工程において識別用の配線をパターニングすることができるため、異なるパターンで基板に穴を開けたりすることなく、容易な構成によりセンサごとの識別情報を表示することができる。
【００１３】
また、本発明におけるセンサにおいて、前記電極が、前記基板の一方の面に形成された第１の電極と、前記基板の他方の面に形成された第２の電極とを備え、前記第１の電極と前記第２の電極とは、前記基板を貫通する貫通孔を介して電気的に接続されていてもよい。
【００１４】
このように構成されたセンサによれば、使用者は、センサの使用時において、表裏のどちらからでも試料の吸引が確認できるため、使用者にとってより使い勝手がよい。
【００１５】
また、本発明におけるセンサにおいて、前記基板は、前記基板に入射した光を反射させる反射部を更に備える構成であってもよい。
【００１６】
このように構成されたセンサによれば、使用者の視力が弱い場合であっても、センサに関する情報の確認が容易となる。
【００１７】
また、本発明におけるセンサにおいて、前記基板の淵の少なくとも一部が着色されていてもよい。
【００１８】
このように構成されたセンサによれば、基板および電極が光透過性の部材により形成されていても、センサを目立たせることができるため、センサの紛失を防止することができ、且つ、センサの形状を容易に把握することができる。
【００１９】
本発明における測定装置は、基板に含まれる上部基板および下部基板と、前記下部基板に設けられた電極とが光透過性の部材により形成されたセンサを用いて、使用者の生体情報の測定を行う測定装置であって、前記センサを挿入するための挿入口が設けられた本体と、前記本体の内部に設けられ、且つ、前記センサを照明する第１の光源と、を備える。
【００２０】
このように構成された測定装置によれば、センサ自体を照明することによって光らせることができるため、例えば、その際、測定結果等に応じて光の照射態様を変えることで、測定結果等をセンサの発光により直感的にわかりやすくすることができる。また、使用者は試料をセンサに供給するためにセンサに着目していることが多いため、センサ自体を光らせることにより測定結果等を通知することは、使用者にとってより使い勝手がよい。更に、複数の色を照射可能なディスプレイ等を設ける必要がないため、製造コストの上昇を抑えることができる。
【００２１】
また、本発明における測定装置は、更に、前記センサの前記基板上において、前記基板に入射した光を透過させる透過部と、前記基板に入射した光を遮光する遮光部とのうち少なくともいずれかを用いて形成されるパターンによって示される、識別情報を読み取るための、識別情報読取部を備え、前記識別情報読取部は、前記パターンに光を照射する第２の光源と、前記パターンを透過した光を受光する受光部と、前記受光部で受光した光に基づいて前記識別情報を判別する判別部とを含んでいてもよい。
【００２２】
このように構成された測定装置によれば、例えば、センサの配線と同じ製造工程において識別用の配線をパターニングすることができるため、異なるパターンで基板に開けられた穴の確認等を行うことなく、光の透過または遮光を判別することでセンサの識別情報を判別することができる。すなわち、センサごとの識別情報を容易に判別することができる。
【００２３】
また、本発明における測定装置において、前記第１の光源は、前記測定装置の測定結果に応じて、照射態様を変えて光を照射してもよい。
【発明の効果】
【００２４】
以上のように、本発明によれば、使用者にとってより使い勝手がよく、且つ、製造コストの上昇を抑えることができるセンサおよび測定装置を提供することができる。
【図面の簡単な説明】
【００２５】
【図１】本発明の実施の形態における測定装置の外観構成を示す斜視図である。
【図２】（ａ）は、本発明の実施の形態におけるセンサの上面図であり、（ｂ）は、（ａ）に示す切断線Ａ−Ａに沿って得られる断面図である。
【図３】図２に示す情報表示部のパターンの具体例を示す図である。
【図４】本発明の実施の形態における測定装置およびセンサの部分拡大断面図である。
【図５】本発明の実施の形態における測定装置およびセンサの使用時における動作の流れを説明するフローチャートである。
【図６】図４に示す測定部による測定結果に応じて照射される光の照射態様の具体例を示す図である。
【図７】本発明の実施の形態にかかるセンサの変形例１（その１）の構成を示す断面図である。
【図８】本発明の実施の形態にかかるセンサの変形例１（その１）の他の例の構成を示す断面図である。
【図９】本発明の実施の形態にかかるセンサの変形例１（その２）の構成を示す断面図である。
【図１０】本発明の実施の形態にかかるセンサの変形例１（その２）の他の例の構成を示す断面図である。
【図１１】本発明の実施の形態にかかるセンサの変形例２の断面図である。
【図１２】図１１に示すセンサに光が照射された際のセンサの上面図の一例である。
【図１３】測定装置の使用状況に応じて照射される光の照射態様の具体例を示す図である。
【発明を実施するための形態】
【００２６】
［構成］
最初に、図１および図２を用いて本発明の実施の形態における測定装置１０およびセンサ２０の構成について説明する。
【００２７】
（測定装置の構成）
まず、図１を用いて、本発明の実施の形態における測定装置１０の構成について説明する。図１は、本発明の実施の形態における測定装置の外観構成を示す斜視図である。
【００２８】
図１に示すように、測定装置１０は、使用者の生体情報を測定するための医療機器、例えば、血糖値計、乳酸値計、ケトン体測定装置、尿試験紙計、脂質測定装置などである。本発明の実施の形態においては、測定装置１０は、使用者の血液の血糖値を測定する、携帯型の血糖値計である場合について説明する。
【００２９】
測定装置１０は、本体１１と、挿入口１２と、表示部１３とを含む。挿入口１２の内部には接続端子が設けられている。そして、本実施の形態では、センサ２０が挿入口１２に挿入されることにより、本体１１のスイッチ（図示せず）がオンとなり測定装置１０が起動する。
【００３０】
センサ２０は、例えば短冊状であって、内部に試薬および電極が設けられている。試薬は、試料である使用者から採血された血液がセンサ２０に形成されたキャピラリー内に吸引されると、センサ２０の内部で血液と反応する。
【００３１】
そして、測定装置１０が起動した状態において、試薬と血液とが反応すると、測定装置１０は、血液中のグルコースと反応した試薬成分を電気化学測定することによって電流の値を測定し、測定した電流値を検量線に当てはめて当該使用者の血糖値を算出する。そして、測定装置１０は、測定結果を表示部１３に表示する。
【００３２】
（センサの構成）
続いて、図２を用いて、図１に示すセンサ２０の構成について説明する。図２（ａ）は、本発明の実施の形態におけるセンサの上面図であり、図２（ｂ）は、図２（ａ）に示す切断線Ａ−Ａに沿って得られる断面図である。
【００３３】
図２（ａ）および図２（ｂ）に示すように、センサ２０は、上部基板２６および下部基板２７を含む基板２１と、下部基板２７に設けられた測定用の電極２２とを備える。また、上部基板２６、下部基板２７および電極２２は、光透過性の部材により形成されている。本実施の形態では、試料としては、人の血液が用いられる。
【００３４】
このように構成されたセンサ２０によれば、センサ２０自体を照明することによって光らせることができるため、例えば、その際、測定結果等に応じて光の照射態様を変えることで、測定結果等をセンサ２０の発光により直感的にわかりやすくすることができる。また、使用者は試料をセンサ２０に供給するためにセンサ２０に着目していることが多いため、センサ２０自体を光らせることにより測定結果等を通知することは、使用者にとってより使い勝手がよい。更に、複数の色を照射可能なディスプレイ等を設ける必要がないため、製造コストの上昇を抑えることができる。以下、センサ２０のより具体的な構成について説明する。
【００３５】
センサ２０は、更に、試薬２３と、空気口２４とを備える。また、基板２１は、上部基板２６と、下部基板２７とに加えて、更に、情報表示部２５と、上部基板２６および下部基板２７の間に挿入される側壁等のスペーサ２９とを有する。また、電極２２は、下部基板２７上に形成され、一対の電極２２ａおよび電極２２ｂを有する。また、スペーサ２９により形成される上部基板２６と下部基板２７との間の空間が、流路２８に相当する。
【００３６】
試薬２３は、電極２２ａ，２２ｂ上にまたがるように塗布されている。なお、本例では、電極２２ａ，２２ｂ上に試薬２３が塗布されているが、少なくとも一つの電極に試薬２３が接していればよい。
【００３７】
また、試薬２３には、例えば、グルコースオキシダーゼ（ＧＯＤ：glucose oxidase）もしくはグルコース脱水素酵素（ＧＤＨ：glucose dehydrogenase）などの酸化還元酵素、または、メディエータとしてのフェリシアン化カリウム、もしくはヘキサアンミンルテニウムクロライドなどが用いられる。
【００３８】
流路２８は、外部から導入された試料を試薬２３へと導く。空気口２４は、上部基板２６に形成され、例えばセンサ２０の先端部から図２（ｂ）に示す矢印Ｂの方向に供給された試料を、流路２８内においてスムーズに流動させる。
【００３９】
上部基板２６は、長手方向において下部基板２７よりも短く形成されており、電極２２ａ，２２ｂの一部が露出している。これは、後述するように、下部基板２７上に形成された電極２２ａおよび電極２２ｂと、挿入口１２の内部の接続端子とを電気的に接続するためである。
【００４０】
上部基板２６および下部基板２７は、光透過性の部材として、例えばポリエチレンテレフタラート（ＰＥＴ：Poly Ethylene Terephthalate）を用いて形成されている。電極２２ａ，２２ｂは、光透過性の部材として、例えばインジウムスズ酸化物（ＩＴＯ：Indium Tin Oxide）を用いて形成されている。
【００４１】
より具体的には、ポリエチレンテレフタラートを用いて形成された下部基板２７の上に、インジウムスズ酸化物の膜を形成し、当該膜に対してレーザートリミングまたはケミカルエッチング等を行うことにより電極２２ａ，２２ｂを形成する。
【００４２】
そして、電極２２ａ，２２ｂ上に所定量の試薬２３を滴下し、更に光透過性のある両面テープ等を用いてスペーサ２９を貼り付けて流路２８を形成する。そして、上部基板２６を貼り付けることにより、センサ２０を製造することができる。
【００４３】
また、本実施の形態では、上部基板２６および下部基板２７は、淵が着色されている態様であるのが好ましい。なお、淵全体が着色されている必要はなく、淵の一部が着色されていてもよい。また、センサ２０の先端部に、試料の供給口を示すためのマーキングが施されていてもよい。
【００４４】
情報表示部２５は、上部基板２６上に設けられ、センサ２０の識別情報を表示する。この情報表示部２５は、上部基板２６に入射した光を透過させる透過部と、上部基板２６に入射した光を遮光する遮光部との少なくともいずれかを用いて形成されるパターンによって、識別情報を表示する。
【００４５】
なお、情報表示部２５は、下部基板２７に設けられていてもよいが、流路２８内の試料の流れを妨げない位置に設けられていることが好ましい。
【００４６】
図３は、図２に示す情報表示部のパターンの具体例を示す図である。
【００４７】
図３（ａ）〜（ｃ）に示すセンサ２０では、情報表示部２５が左右に分かれた２つの領域２５ａおよび２５ｂから成る。図３（ａ）に示すセンサ２０の情報表示部２５は、透過部である左の領域２５ａと、遮光部である右の領域２５ｂとにより形成される。また、図３（ｂ）に示すセンサ２０の情報表示部２５は、遮光部である左の領域２５ａと、透過部である右の領域２５ｂとにより形成される。また、図３（ｃ）に示すセンサ２０の情報表示部２５は、遮光部である左の領域２５ａと、遮光部である右の領域２５ｂとにより形成される。
【００４８】
このように、透過部と遮光部との少なくともいずれかを用いて異なるパターンが形成されていることにより、情報表示部２５が異なる識別情報を表示させることができる。この識別情報には、例えば、センサ２０のロット番号、センサ２０の使用期限、またはセンサ２０の感度補正に関する情報などが含まれる。
【００４９】
（挿入口の内部の構成）
次に、図４を用いて、図１に示す挿入口１２の内部の構成について説明する。図４は、本発明の実施の形態における測定装置およびセンサの部分拡大断面図である。
【００５０】
図４に示すように、本体１１の挿入口１２の内部には、光源（第１の光源）３０と、制御部３１と、一対の接続端子３２ａおよび接続端子３２ｂと、識別情報読取部３４と、測定部３５とが設けられている。識別情報読取部３４は、一対の光源（第２の光源）３６ａおよび光源（第２の光源）３６ｂと、一対の受光部３７ａおよび受光部３７ｂと、判別部３８とを含む。
【００５１】
接続端子３２ａ，３２ｂは、センサ２０が挿入口１２の内部に挿入されている状態において、センサ２０の電極２２ａ，２２ｂとそれぞれ接続される。なお、図４において、接続端子３２ｂの図示は省略されている。
【００５２】
光源３６ａおよび受光部３７ａは、センサ２０が挿入口１２の内部に挿入されている状態において、センサ２０の情報表示部２５における左の領域２５ａに対応する位置に設けられている。また、光源３６ｂおよび受光部３７ｂは、図４において図示が省略されているが、センサ２０が挿入口１２の内部に挿入されている状態において、センサ２０の情報表示部２５における右の領域２５ｂに対応する位置に設けられている。
【００５３】
判別部３８は、光源３６ａ，３６ｂによる光の照射を制御する。また、判別部３８は、受光部３７ａ，３７ｂによる光の受光結果を取得し、取得した受光結果に基づいてセンサ２０の識別情報を判別する。
【００５４】
測定部３５は、試料と反応した試薬２３を電気化学測定することによって電流の値を測定し、測定結果を制御部３１へ出力する。制御部３１は、測定部３５から取得した測定結果に応じて、光源３０から照射される光の照射態様を変える。なお、各照射態様は、光の波長および光の点灯間隔等のうち、少なくとも１つを変えることで設定されている。
【００５５】
［動作］
次に、本発明の実施の形態における測定装置１０およびセンサ２０の使用時における動作について、図を参照しながら説明する。
【００５６】
図５は、本発明の実施の形態における測定装置およびセンサの使用時における動作の流れを説明するフローチャートである。
【００５７】
上述した図４および図５を参照して、まず、前提として、例えば測定装置１０の使用者が手でセンサ２０を掴み、センサ２０を本体１１の挿入口１２内に挿入する。
【００５８】
そして、電極２２ａ，２２ｂが、それぞれ対応する接続端子３２ａ，３２ｂと接続されると、本体１１のスイッチ（図示せず）がオンとなり測定装置１０が起動して、本体１１がセンサ２０の挿入を検知する（ステップＳ１）。
【００５９】
次に、本体１１がセンサ２０の挿入を検知すると、判別部３８が、光源３６ａ，３６ｂから光を照射させる。そして、判別部３８は、受光部３７ａ，３７ｂにより受光された光に基づいて、挿入口１２の内部に挿入されたセンサ２０の識別情報を判別する。
【００６０】
例えば、情報表示部２５における左の領域２５ａが透過部であり、右の領域２５ｂが遮光部であるとする。この場合、受光部３７ａは、光源３６ａから照射されて、左の領域２５ａ、上部基板２６および下部基板２７を透過した光を受光する。一方、光源３６ｂから照射された光は、右の領域２５ｂにおいて遮光されるため、受光部３７ｂは光源３６ｂからの光を受光しない。
【００６１】
判別部３８は、例えば、受光部３７ａ，３７ｂによる光の受光結果と、センサ２０の識別情報とを予め対応づけて記憶している。これにより、例えば、判別部３８は、受光部３７ａが光を受光し、受光部３７ｂが光を受光しなかったという受光結果を取得することにより、挿入口１２の内部に挿入されたセンサ２０の識別情報を判別することができる（ステップＳ２）。
【００６２】
次に、判別部３８は、判別したセンサ２０の識別情報を測定部３５へ出力する。そして、測定部３５は、取得した識別情報を用いて試料の測定を行う。具体的には、測定部３５は、予め用意されている複数の検量線の中から、センサ２０の識別情報に基づいて測定に使用する検量線を選択する。そして、測定部３５は、試料と反応した試薬２３を電気化学測定することによって得られる電流の値を、電極２２ａ，２２ｂおよび接続端子３２ａ，３２ｂを介して測定する。そして、測定部３５は、測定した値を、選択した検量線に当てはめて当該使用者の血糖値を算出する（ステップＳ３）。
【００６３】
なお、識別情報読取部３４によるセンサ２０の識別情報の読み取り（ステップＳ２）と、測定部３５による試料の測定（ステップＳ３）とは、逆の順番により行われても良い。すなわち、例えば測定部３５は、試料の測定を行った後に、識別情報読取部３４により読み取られたセンサ２０の識別情報を用いて、測定結果の補正等を行ってもよい。
【００６４】
次に、測定部３５は、測定結果を制御部３１へ出力する。そして、制御部３１は、取得した測定結果を表示部１３（図１参照）に表示させる。更に、制御部３１は、当該測定結果に応じて、光源３０から照射される光の照射態様を変える。これにより、センサ２０は、測定結果に応じた態様の光で発光する（ステップＳ４）。具体的には、図６を用いて説明する。
【００６５】
なお、例えば本体１１の内部におけるスペースの影響により光源３０を挿入口１２の付近に設けることが困難であるような場合には、光ファイバ等を用いて光源３０からの光を挿入口１２へ伝送したり、ミラー等を用いて光源３０からの光を反射させることにより光源３０からの光を挿入口１２へ導くように構成したりしてもよい。
【００６６】
図６は、図４に示す測定部による測定結果に応じて照射される光の照射態様の具体例を示す図である。
【００６７】
例えば、本体１１の内部には、光源３０として、青、緑および赤などの複数の色の光を照射可能なように、複数のＬＥＤが設けられている。そして、制御部３１は、測定結果に応じて、点灯させるＬＥＤを切り替えることにより、照射態様を変えて光をセンサ２０に向けて照射させる。
【００６８】
具体的には、図６に示すように、制御部３１は、例えば、血糖値が５０ｍｇ／ｄＬ以下である場合には、青色のＬＥＤが点滅するように制御する。これにより、基板２１および電極２２が光透過性の部材により形成されているセンサ２０は、青色に点滅する（図６（ａ）参照）。また、制御部３１は、例えば、血糖値が５０〜８０ｍｇ／ｄＬ以下である場合には、青色のＬＥＤが点灯するように制御する。これにより、センサ２０は青色に点灯する（図６（ｂ）参照）。
【００６９】
また、制御部３１は、例えば、血糖値が８０〜１３０ｍｇ／ｄＬ以下である場合には、緑色のＬＥＤが点灯するように制御する。これにより、センサ２０は緑色に点灯する（図６（ｃ）参照）。また、制御部３１は、例えば、血糖値が１３０〜２５０ｍｇ／ｄＬ以下である場合には、赤色のＬＥＤが点灯するように制御する。これにより、センサ２０は赤色に点灯する（図６（ｄ）参照）。更に、制御部３１は、例えば、血糖値が２５０ｍｇ／ｄＬ以上である場合には、赤色のＬＥＤが点滅するように制御する。これにより、センサ２０は赤色に点滅する（図６（ｅ）参照）。
【００７０】
なお、制御部３１は、上記のように測定結果に応じて、照射態様を変えてセンサ２０を発光させることで測定結果を使用者に通知することができるため、表示部１３には測定結果を表示させない構成であってもよい。
【００７１】
また、例えば、上部基板２６および下部基板２７の側面に、センサ２０に向けて照射された光を反射するための反射板等が設けられていてもよい。このような構成である場合、光源３０による光の照射態様が確認しやすくなるため、測定結果をより容易に確認することができる。
【００７２】
また、例えば、半透明のポリエチレンテレフタラートを用いて上部基板２６および下部基板２７を形成することにより、透明の部材を用いて上部基板２６および下部基板２７を形成する場合と比較して、光源３０による光の色または光の点灯間隔などの照射態様をより確認しやすくすることができる。
【００７３】
［効果］
上述のように、本発明の実施の形態に係るセンサ２０は、上部基板２６および下部基板２７を含む基板２１と、下部基板２７に設けられた電極２２とを備え、上部基板２６、下部基板２７および電極２２は、光透過性の部材により形成されている。
【００７４】
これにより、センサ２０自体を照明することによって光らせることができるため、例えば、その際、測定結果等に応じて光の照射態様を変えることで、測定結果等をセンサ２０の発光により直感的にわかりやすくすることができる。また、使用者は試料をセンサ２０に供給するためにセンサ２０に着目していることが多いため、センサ２０自体を光らせることにより測定結果等を通知することは、使用者にとってより使い勝手がよい。更に、複数の色を照射可能なディスプレイ等を設ける必要がないため、製造コストの上昇を抑えることができる。
【００７５】
また、本発明の実施の形態におけるセンサ２０において、基板２１は、センサ２０の識別情報を表示する情報表示部２５を更に備える。また、情報表示部２５は、基板２１に入射した光を透過させる透過部と、基板２１に入射した光を遮光する遮光部とのうち少なくともいずれかを用いて形成されるパターンによって、識別情報を表示する。
【００７６】
このように構成されたセンサ２０によれば、例えば、センサ２０の配線と同じ製造工程において識別用の配線をパターニングすることができるため、異なるパターンで基板２１に穴を開けたりすることなく、容易な構成によりセンサ２０ごとの識別情報を表示することができる。
【００７７】
また、本発明の実施の形態におけるセンサ２０において、基板２１の淵の少なくとも一部が着色されている。
【００７８】
このように構成されたセンサ２０によれば、基板２１および電極２２が光透過性の部材により形成されていても、センサ２０を目立たせることができるため、センサ２０の紛失を防止することができ、且つ、センサ２０の形状を容易に把握することができる。
【００７９】
（変形例１）
（ａ）その１
図７は、本発明の実施の形態にかかるセンサの変形例１（その１）の構成を示す断面図である。
【００８０】
図７に示すように、本発明の実施の形態にかかるセンサ２０の変形例１（その１）は、図２（ａ）および図２（ｂ）に示すセンサ２０と比較して、更に、第２の上部基板４１を備える。第２の上部基板４１には、空気口４６が形成されている。
【００８１】
また、下部基板２７には、下部基板２７の上面に設けられた電極（第１の電極）２２ａ，２２ｂと、試薬２３とに加えて、更に、下部基板２７の下面に、一対の電極（第２の電極）４２ａ，４２ｂと、試薬４３と、第２の上部基板４１および下部基板２７の間に挿入される側壁等のスペーサ４５とが設けられている。また、スペーサ４５により形成される第２の上部基板４１と下部基板２７との間の空間が、流路４４に相当する。
【００８２】
すなわち、使用者は、図７に示す矢印Ｃまたは矢印Ｄのいずれからであっても試料を供給することができる。そして、矢印Ｃの示す方向に試料が供給された場合には、当該試料は流路２８内を流動し、矢印Ｄの示す方向に試料が供給された場合には、当該試料は流路４４内を流動する。
【００８３】
第２の上部基板４１は、上部基板２６と同様に、光透過性の部材により形成されており、長手方向において下部基板２７よりも短く形成されている。このため、電極４２ａ，４２ｂの一部が露出している。
【００８４】
これにより、上部基板２６が上面となるようにセンサ２０が挿入口１２に挿入された場合には、電極２２ａ，電極２２ｂと、挿入口１２の内部の接続端子３２ａ，３２ｂとが電気的に接続される。一方、第２の上部基板４１が上面となるようにセンサ２０が挿入口１２に挿入された場合には、電極４２ａ，電極４２ｂと、挿入口１２の内部の接続端子３２ａ，３２ｂとが電気的に接続される。
【００８５】
このように、下部基板２７の上面および下面の双方に流路および電極が設けられていることにより、使用者は、センサ２０の使用時において、表裏のどちらからでも試料の吸引が確認できる。このため、使用者にとってより使い勝手のよいセンサ２０および測定装置１０を提供することができる。
【００８６】
図８は、本発明の実施の形態にかかるセンサの変形例１（その１）の他の例の構成を示す断面図である。
【００８７】
図８に示すように、本発明の実施の形態にかかるセンサ２０の変形例１（その１）は、図７に示すセンサ２０の変形例と比較して、更に、第２の上部基板４１上に情報表示部２５の領域２５ａおよび２５ｂが設けられている。これにより、使用者は、表裏のどちらからでもセンサ２０の識別情報を確認することができる。
【００８８】
（ｂ）その２
図９は、本発明の実施の形態にかかるセンサの変形例１（その２）の構成を示す断面図である。
【００８９】
また、下部基板２７には、電極（第１の電極）２２ａ，２２ｂのうち本体１１の挿入口１２に挿入された際に接続端子３２ａ，３２ｂと接続される部分、すなわち電極２２ａ，２２ｂのうち上部基板２６から露出している部分、に対応する位置であって、下部基板２７の下面に電極（第２の電極）５１ａ，５１ｂが設けられていてもよい。
【００９０】
このような構成の場合、下部基板２７には、例えば、貫通孔５２ａおよび貫通孔５２ｂが形成され、これら貫通孔５２ａ，５２ｂの内壁に導電膜が設けられている。そして、貫通孔５２ａの内壁に設けられた導電膜が電極２２ａと電極５１ａとを電気的に接続し、貫通孔５２ｂの内壁に設けられた導電膜が電極２２ｂと電極５１ｂとを電気的に接続する。
【００９１】
これにより、上部基板２６が上面となるようにセンサ２０が挿入口１２に挿入された場合には、電極２２ａ，電極２２ｂと、挿入口１２の内部の接続端子３２ａ，３２ｂとが電気的に接続される。一方、下部基板２７が上面となるようにセンサ２０が挿入口１２に挿入された場合には、貫通孔５２ａ，５２ｂおよび電極２２ａ，電極２２ｂを介して、電極５１ａ，５１ｂと、挿入口１２の内部の接続端子３２ａ，３２ｂとが電気的に接続される。
【００９２】
このように構成されたセンサによれば、上述した変形例１（その１）と同様に、使用者は、センサ２０の使用時において、表裏のどちらからでも試料の吸引が確認できるため、使用者にとってより使い勝手がよい。
【００９３】
さらに、電極２２ａ，２２ｂと電極５１ａ，５１ｂとを貫通孔５２ａ，５２ｂを介して電気的に接続する構成により、複数の流路を設ける必要がなく、使用時に表裏のどちらからでも試料の吸引が確認できるセンサ２０を単純な構成により実現することができる。
【００９４】
図１０は、本発明の実施の形態にかかるセンサの変形例１（その２）の他の例の構成を示す断面図である。
【００９５】
図１０に示すように、本発明の実施の形態にかかるセンサ２０の変形例１（その２）は、図９に示すセンサ２０の変形例と比較して、更に、下部基板２７上に情報表示部２５の領域２５ａおよび２５ｂが設けられている。これにより、使用者は、表裏のどちらからでもセンサ２０の識別情報を確認することができる。
【００９６】
（変形例２）
図１１は、本発明の実施の形態にかかるセンサの変形例２の断面図である。
【００９７】
図１１に示すように、本発明の実施の形態にかかるセンサ２０の変形例２は、上部基板２６上に反射部６１が設けられている。この反射部６１は、例えば、上部基板２６の上面に向かって広がるように形成された溝形状である。これにより、光源３０からセンサ２０に向けて光が照射されると、当該光は上部基板２６の反射部６１において、上部基板２６の上面に向けて反射する。
【００９８】
図１２は、図１１に示すセンサに光が照射された際のセンサの上面図の一例である。
【００９９】
上述のように、反射部６１において上部基板２６の上面に向けて光が反射することにより、例えば図１２に示すように、センサ２０に関する文字または絵などの情報を表示することができる。
【０１００】
このように、基板２１が、基板２１に入射した光を反射させる反射部６１を備え、反射部６１は、光を反射させることによってセンサ２０に関する情報を表示する構成により、使用者の視力が弱い場合であっても、センサ２０に関する情報を容易に確認することができる。
【０１０１】
（変形例３）
本発明の実施の形態にかかる測定装置１０の変形例３では、制御部３１は、例えば、使用者による測定装置１０の使用状況に応じて、照射態様を変えて光を光源３０から照射させてもよい。
【０１０２】
図１３は、測定装置の使用状況に応じて照射される光の照射態様の具体例を示す図である。
【０１０３】
例えば、図１３（ａ）に示すように、制御部３１は、センサ２０が本体１１に挿入されると、青色のＬＥＤが点滅するように制御する。これにより、センサ２０は青色に点滅する。そして、制御部３１は、センサ２０に滴下される試料が測定に十分な量に達するまで、青色のＬＥＤの点滅を継続させる。そして、例えば、制御部３１は、センサ２０に滴下される試料が測定に十分な量に達すると、青色のＬＥＤを点滅から点灯に切り替える。これにより、センサ２０は青色に点灯する。
【０１０４】
また、例えば、図１３（ｂ）に示すように、使用者による使用手順において誤りが生じた場合または適切な測定を行うことが出来ない場合などエラーが生じた場合には、制御部３１は、赤色のＬＥＤが点滅するように制御する。これにより、センサ２０は赤色に点滅し、使用者にエラーの通知を行うことができる。なお、制御部３１は、エラーの種類に応じて異なる態様でセンサ２０を発光させる構成であっても良い。
【０１０５】
このような構成により、使用者は、センサ２０の発光態様を確認することで、滴下した試料の量が適切であるか否か、または、使用手順において誤りが生じていないかどうかなどを把握することができる。また、試料の滴下時においては、使用者はセンサ２０に着目していることが多いため、センサ２０自体の発光を確認することで適切な試料の量または適切な使用手順を確認することのできる測定装置１０によれば、使用者の使い勝手を一層向上させることができる。
【０１０６】
また、音を出力することによるエラー通知などと比較して、使用場所の制限が少なくなるため、使用者の使い勝手をより一層向上させることができる。
【産業上の利用可能性】
【０１０７】
以上のように、本発明は、医療機器、特に携帯型の小型の医療機器の分野に有用である。
【符号の説明】
【０１０８】
１０  測定装置
１１  本体
１２  挿入口
１３  表示部
２０  センサ
２１  基板
２２，２２ａ，２２ｂ  電極（第１の電極）
２３，４３  試薬
２４，４６  空気口
２５  情報表示部
２５ａ，２５ｂ  領域
２６  上部基板
２７  下部基板
２８，４４  流路
２９  スペーサ
３０  光源（第１の光源）
３１  制御部
３２ａ，３２ｂ  接続端子
３４  識別情報読取部
３５  測定部
３６ａ，３６ｂ  光源（第２の光源）
３７ａ，３７ｂ  受光部
３８  判別部
４１  第２の上部基板
４２ａ，４２ｂ，５１ａ，５１ｂ  電極（第２の電極）
５２ａ，５２ｂ  貫通孔
６１  反射部
【図１】
2015212685.tif 000003
【図２】
2015212685.tif 000004
【図３】
2015212685.tif 000005
【図４】
2015212685.tif 000006
【図５】
2015212685.tif 000007
【図６】
2015212685.tif 000008
【図７】
2015212685.tif 000009
【図８】
2015212685.tif 000010
【図９】
2015212685.tif 000011
【図１０】
2015212685.tif 000012
【図１１】
2015212685.tif 000013
【図１２】
2015212685.tif 000014
【図１３】
2015212685.tif 000015